(57)【要約】  フィードバック情報をレポーティングするための様々なレポーティングモードが開示される。様々なレポーティングモードで受信機及び送信機は該当するレポーティングモードに応じて適切なフィードバック情報を生成し、そのフィードバック情報を効率的にフィードバックすることができる。
2013529430.tif 000002
【特許請求の範囲】
【請求項１】
送信機にフィードバックされるフィードバック情報に対するレポーティングモードを認知するステップと、
第１コードブックから前記複数のサブバンドの集合に対する第１プリコーディングマトリックス指示子を生成するステップと、
第２コードブックから前記複数のサブバンドのうち特定サブバンドそれぞれに対する第２プリコーディングマトリックス指示子を生成するステップと、
前記送信機に前記第１プリコーディングマトリックス指示子及び前記第２プリコーディングマトリックス指示子をフィードバックするステップと、
を含むことを特徴とする受信機の通信方法。
【請求項２】
前記第１プリコーディングマトリックス指示子及び前記第２プリコーディングマトリックス指示子に対応するプリコーディングマトリックスに基づいて前記複数のサブバンドの集合に対するチャネル品質情報を生成するステップをさらに含み、
前記フィードバックするステップは、前記チャネル品質情報をさらにフィードバックするステップであることを特徴とする請求項１に記載の受信機の通信方法。
【請求項３】
前記第１プリコーディングマトリックス指示子及び前記第２プリコーディングマトリックス指示子をフィードバックするステップは、物理上りリンク共有チャネル（ＰＵＳＣＨ）を介して前記第１プリコーディングマトリックス指示子及び前記第２プリコーディングマトリックス指示子をフィードバックするステップであることを特徴とする請求項１に記載の受信機の通信方法。
【請求項４】
前記第１コードブックと前記第２コードブックは互いに区別され、
前記第１コードブックと前記第２コードブックそれぞれは同一の全体コードブックのサブセットであることを特徴とする請求項１に記載の受信機の通信方法。
【請求項５】
前記チャネル品質情報を生成するステップは、前記受信機によって前記送信機に報告されたまたは予め定義されたランク指示子を考慮して前記チャネル品質情報を生成するステップであることを特徴とする請求項２に記載の受信機の通信方法。
【請求項６】
受信機からフィードバックされるフィードバック情報に対するレポーティングモードを認知するステップと、
前記レポーティングモードに応じてフィードバックされる第１プリコーディングマトリックス指示子及び第２プリコーディングマトリックス指示子を受信するステップと、
前記第１プリコーディングマトリックス指示子及び前記第２プリコーディングマトリックス指示子を用いてプリコーディングマトリックスを生成するステップと、
を含み、
前記レポーティングモードにおいて、
前記第１プリコーディングマトリックス指示子は、前記複数のサブバンドの集合に対して第１コードブックから生成されたものであり、
前記第２プリコーディングマトリックス指示子は、前記複数のサブバンドのうち特定サブバンドそれぞれに対して第２コードブックから生成されたものであることを特徴とする送信機の通信方法。
【請求項７】
前記複数のサブバンドの集合に対するチャネル品質情報を受信するステップをさらに含むことを特徴とする請求項６に記載の送信機の通信方法。
【請求項８】
前記レポーティングモードにおいて、
前記チャネル品質情報は、前記第１プリコーディングマトリックス指示子及び前記第２プリコーディングマトリックス指示子に対応するプリコーディングマトリックスに基づいて生成されたものであることを特徴とする請求項６に記載の送信機の通信方法。
【請求項９】
前記第１プリコーディングマトリックス指示子及び前記第２プリコーディングマトリックス指示子を受信するステップは、物理上りリンク共有チャネル（ＰＵＳＣＨ）を介して前記第１プリコーディングマトリックス指示子及び前記第２プリコーディングマトリックス指示子を受信するステップであることを特徴とする請求項６に記載の送信機の通信方法。
【請求項１０】
前記第１コードブックと前記第２コードブックは互いに区別され、
前記第１コードブックと前記第２コードブックそれぞれは同一の全体コードブックのサブセットであることを特徴とする請求項６に記載の送信機の通信方法。
【請求項１１】
送信機にフィードバックされるフィードバック情報に対するレポーティングモードを認知するステップと、
第１コードブックから前記複数のサブバンドの集合または前記複数のサブバンドのうち少なくとも１つに対する第１プリコーディングマトリックス指示子を生成するステップと、
第２コードブックから前記複数のサブバンドの集合または前記複数のサブバンドのうち少なくとも１つに対する第２プリコーディングマトリックス指示子を生成するステップと、
前記送信機に前記第１プリコーディングマトリックス指示子及び前記第２プリコーディングマトリックス指示子をフィードバックするステップと、
を含むことを特徴とする受信機の通信方法。
【請求項１２】
前記第１プリコーディングマトリックス指示子及び前記第２プリコーディングマトリックス指示子に対応するプリコーディングマトリックスに基づいて前記複数のサブバンドの集合に対するチャネル品質情報を生成するステップをさらに含み、
前記フィードバックするステップは、前記チャネル品質情報をさらにフィードバックするステップであることを特徴とする請求項１１に記載の受信機の通信方法。
【請求項１３】
前記複数のサブバンドの集合に対するチャネル品質情報と前記複数のサブバンドのうち特定サブバンドに対するチャネル品質情報とのの間の差情報を生成するステップをさらに含み、
前記フィードバックするステップは、前記差情報をさらにフィードバックするステップであることを特徴とする請求項１２に記載の受信機の通信方法。
【請求項１４】
前記第１コードブックと前記第２コードブックは互いに区別され、
前記第１コードブックと前記第２コードブックそれぞれは同一の全体コードブックのサブセットであることを特徴とする請求項１１に記載の受信機の通信方法。
【請求項１５】
前記チャネル品質情報を生成するステップは、前記受信機によって前記送信機に報告されたまたは予め定義されたランク指示子を考慮して前記チャネル品質情報を生成するステップであることを特徴とする請求項１２に記載の受信機の通信方法。
【請求項１６】
受信機からフィードバックされるフィードバック情報に対するレポーティングモードを認知するステップと、
前記レポーティングモードに応じてフィードバックされる第１プリコーディングマトリックス指示子及び第２プリコーディングマトリックス指示子を受信するステップと、
前記第１プリコーディングマトリックス指示子及び前記第２プリコーディングマトリックス指示子を用いてプリコーディングマトリックスを生成するステップと、
を含み、
前記レポーティングモードにおいて、
前記第１プリコーディングマトリックス指示子は、前記複数のサブバンドの集合または前記複数のサブバンドのうち少なくとも１つに対して第１コードブックから生成されたものであり、
前記第２プリコーディングマトリックス指示子は、前記複数のサブバンドの集合または前記複数のサブバンドのうち少なくとも１つに対して第２コードブックから生成されたものであることを特徴とする送信機の通信方法。
【請求項１７】
前記複数のサブバンドの集合に対するチャネル品質情報を受信するステップをさらに含むことを特徴とする請求項１６に記載の送信機の通信方法。
【請求項１８】
前記複数のサブバンドの集合に対するチャネル品質情報と前記複数のサブバンドのうち特定サブバンドに対するチャネル品質情報との間の差情報を受信するステップをさらに含むことを特徴とする請求項１７に記載の送信機の通信方法。
【請求項１９】
受信機の選好されるランクを示すランク指示子を生成するステップと、
第１コードブックから複数のサブバンドの集合または前記複数のサブバンドのうち特定サブバンドに対する第１プリコーディングマトリックス指示子を生成するステップと、
第２コードブックから前記複数のサブバンドの集合に対する第２プリコーディングマトリックス指示子を生成するステップと、
前記複数のサブバンドの集合に対するチャネル品質情報を生成するステップと、
第１レポーティングの時点で前記ランク指示子を送信し、第２レポーティングの時点で前記第１プリコーディングマトリックス指示子を送信し、第３レポーティングの時点で前記複数のサブバンドの集合に対する第２プリコーディングマトリックス指示子及び前記複数のサブバンドの集合に対するチャネル品質情報を送信するステップを含むことを特徴とする受信機の通信方法。
【請求項２０】
前記第１レポーティングの時点、前記第２レポーティングの時点及び前記第３レポーティングの時点それぞれは互いに異なるサブフレームに対応することを特徴とする請求項１９に記載の受信機の通信方法。
【請求項２１】
前記第３レポーティングの時点で、前記複数のサブバンドの集合に対する第２プリコーディングマトリックス指示子及び前記複数のサブバンドの集合に対するチャネル品質情報を送信するステップは、前記複数のサブバンドの集合に対する第２プリコーディングマトリックス指示子及び前記複数のサブバンドの集合に対するチャネル品質情報が共同コーディングされた情報を送信するステップであることを特徴とする請求項１９に記載の受信機の通信方法。
【請求項２２】
前記ランク指示子、前記第１プリコーディングマトリックス指示子、前記複数のサブバンドの集合に対する第２プリコーディングマトリックス指示子及び前記複数のサブバンドの集合に対するチャネル品質情報を送信するステップは、第１レポーティング周期に前記ランク指示子を送信し、第２レポーティング周期に前記第１プリコーディングマトリックス指示子を送信し、第３レポーティング周期に前記複数のサブバンドの集合に対する第２プリコーディングマトリックス指示子及び前記複数のサブバンドの集合に対するチャネル品質情報を送信するステップであることを特徴とする請求項１９に記載の受信機の通信方法。
【請求項２３】
前記複数のサブバンドの集合に対するチャネル品質情報を生成するステップは、前記第１プリコーディングマトリックス指示子及び前記第２プリコーディングマトリックス指示子を用いて前記複数のサブバンドの集合に対するチャネル品質情報を生成するステップであることを特徴とする請求項１９に記載の受信機の通信方法。
【請求項２４】
送信機にフィードバックされるフィードバック情報に対するレポーティングモードを認知するステップと、
受信機から第１レポーティングの時点でランク指示子を受信し、第２レポーティングの時点で第１プリコーディングマトリックス指示子を受信し、第３レポーティングの時点で複数のサブバンドの集合に対する第２プリコーディングマトリックス指示子及び前記複数のサブバンドの集合に対するチャネル品質情報を受信するステップと、
前記レポーティングモードに応じて前記ランク指示子、前記第１プリコーディングマトリックス指示子、前記複数のサブバンドの集合に対する第２プリコーディングマトリックス指示子及び前記複数のサブバンドの集合に対するチャネル品質情報を抽出するステップと、
少なくとも前記第１プリコーディングマトリックス指示子及び前記複数のサブバンドの集合に対する第２プリコーディングマトリックス指示子を用いてプリコーディングマトリックスを生成するステップと、
を含むことを特徴とする送信機の通信方法。
【請求項２５】
前記第１レポーティングの時点、前記第２レポーティングの時点及び前記第３レポーティングの時点それぞれは互いに異なるサブフレームに対応することを特徴とする請求項２４に記載の送信機の通信方法。
【請求項２６】
前記ランク指示子を受信し、前記第１プリコーディングマトリックス指示子を受信し、前記複数のサブバンドの集合に対する第２プリコーディングマトリックス指示子及び前記複数のサブバンドの集合に対するチャネル品質情報を受信するステップは、第１レポーティング周期に前記ランク指示子を受信し、第２レポーティング周期に前記第１プリコーディングマトリックス指示子を受信し、第３レポーティング周期に前記複数のサブバンドの集合に対する第２プリコーディングマトリックス指示子及び前記複数のサブバンドの集合に対するチャネル品質情報を受信するステップであることを特徴とする請求項２４に記載の送信機の通信方法。
【請求項２７】
受信機の選好されるランクを示すランク指示子を生成するステップと、
第１コードブックから複数のサブバンドの集合または前記複数のサブバンドのうち特定サブバンドに対する第１プリコーディングマトリックス指示子を生成するステップと、
第２コードブックから前記複数のサブバンドの集合に対する第２プリコーディングマトリックス指示子を生成するステップと、
前記複数のサブバンドの集合に対するチャネル品質情報を生成するステップと、
前記複数のサブバンドのうち特定サブバンドそれぞれに対する第３プリコーディングマトリックス指示子を生成するステップと、
前記複数のサブバンドのうち特定サブバンドそれぞれに対するチャネル品質情報を生成するステップと、
第１レポーティングの時点で前記ランク指示子を送信し、第２レポーティングの時点で前記第１プリコーディングマトリックス指示子を送信し、第３レポーティングの時点で前記複数のサブバンドの集合に対する第２プリコーディングマトリックス指示子及び前記複数のサブバンドの集合に対するチャネル品質情報を送信し、第４レポーティングの時点で前記特定サブバンドそれぞれに対する第３プリコーディングマトリックス指示子及び前記特定サブバンドそれぞれに対するチャネル品質情報を送信するステップと、
を含むことを特徴とする受信機の通信方法。
【請求項２８】
前記第１レポーティングの時点、前記第２レポーティングの時点、前記第３レポーティングの時点及び第４レポーティングの時点それぞれは互いに異なるサブフレームに対応することを特徴とする請求項２７に記載の受信機の通信方法。
【請求項２９】
前記ランク指示子を送信し、前記第１プリコーディングマトリックス指示子を送信し、前記複数のサブバンドの集合に対する第２プリコーディングマトリックス指示子及び前記複数のサブバンドの集合に対するチャネル品質情報を送信し、前記特定サブバンドそれぞれに対する第３プリコーディングマトリックス指示子及び前記特定サブバンドそれぞれに対するチャネル品質情報を送信するステップは、第１レポーティング周期に前記ランク指示子を送信し、第２レポーティング周期に前記第１プリコーディングマトリックス指示子を送信し、第３レポーティング周期に前記複数のサブバンドの集合に対する第２プリコーディングマトリックス指示子及び前記複数のサブバンドの集合に対するチャネル品質情報を送信し、第４レポーティング周期に前記特定サブバンドそれぞれに対する第３プリコーディングマトリックス指示子及び前記特定サブバンドそれぞれに対するチャネル品質情報を送信するステップであることを特徴とする請求項２７に記載の受信機の通信方法。
【請求項３０】
送信機にフィードバックされるフィードバック情報に対するレポーティングモードを認知するステップと、
受信機から第１レポーティングの時点でランク指示子を受信し、第２レポーティングの時点で複数のサブバンドの集合または前記複数のサブバンドのうち特定サブバンドに対する第１プリコーディングマトリックス指示子を受信し、第３レポーティングの時点で前記複数のサブバンドの集合に対する第２プリコーディングマトリックス指示子及び前記複数のサブバンドの集合に対するチャネル品質情報を受信し、第４レポーティングの時点で前記特定サブバンドそれぞれに対する第３プリコーディングマトリックス指示子及び前記特定サブバンドそれぞれに対するチャネル品質情報を受信するステップと、
前記レポーティングモードに応じて前記ランク指示子、前記第１プリコーディングマトリックス指示子、前記複数のサブバンドの集合に対する第２プリコーディングマトリックス指示子、前記複数のサブバンドの集合に対するチャネル品質情報、前記特定サブバンドそれぞれに対する第３プリコーディングマトリックス指示子及び前記特定サブバンドそれぞれに対するチャネル品質情報を抽出するステップと、
少なくとも前記第１プリコーディングマトリックス指示子、前記第２プリコーディングマトリックス指示子及び前記第３プリコーディングマトリックス指示子を用いてプリコーディングマトリックスを生成するステップと、
を含むことを特徴とする送信機の通信方法。
【請求項３１】
前記第１レポーティングの時点、前記第２レポーティングの時点、前記第３レポーティングの時点及び第４レポーティングの時点それぞれは互いに異なるサブフレームに対応することを特徴とする請求項３０に記載の送信機の通信方法。
【請求項３２】
前記ランク指示子を受信し、前記第１プリコーディングマトリックス指示子を受信し、前記複数のサブバンドの集合に対する第２プリコーディングマトリックス指示子及び前記複数のサブバンドの集合に対するチャネル品質情報を受信し、前記特定サブバンドそれぞれに対する第３プリコーディングマトリックス指示子及び前記特定サブバンドそれぞれに対するチャネル品質情報を受信するステップは、第１レポーティング周期に前記ランク指示子を受信し、第２レポーティング周期に前記第１プリコーディングマトリックス指示子を受信し、第３レポーティング周期に前記複数のサブバンドの集合に対する第２プリコーディングマトリックス指示子及び前記複数のサブバンドの集合に対するチャネル品質情報を受信し、第４レポーティング周期に前記特定サブバンドそれぞれに対する第３プリコーディングマトリックス指示子及び前記特定サブバンドそれぞれに対するチャネル品質情報を受信するステップであることを特徴とする請求項３０に記載の送信機の通信方法。
【請求項３３】
請求項１〜請求項３２のいずれか１項の方法を行うためのプログラムが記録されたコンピュータで読み出し可能な記録媒体。
【請求項３４】
全体コードブックのサブセットである第１コードブック及び第２コードブックが格納されたメモリと、
前記第１コードブック及び前記第２コードブックそれぞれから該当プリコーディングマトリックス指示子を生成したり、前記該当プリコーディングマトリックス指示子それぞれに対応するプリコーディングマトリックスを抽出するプロセッサと、
送信機と受信機との間で前記第１コードブック及び前記第２コードブックそれぞれから生成された該当プリコーディングマトリックス指示子を共有するための通信インタフェースと、
を含む送信機及び受信機のうち少なくとも１つに設けられる通信装置。
【発明の詳細な説明】
【技術分野】
【０００１】
下記の実施形態はマルチ入出力通信システムに関する。特に、その実施形態は送信機及び受信機を含むマルチ入出力通信システムにおいて、送信機と受信機との間にフィードバック情報を共有する技術に関する。
【背景技術】
【０００２】
マルチ入出力通信システムは送信機及び少なくとも１つの受信機を含む。例えば、マルチ入出力通信システムは基地局及び少なくとも１つの端末を含んでもよく、下りリンクで基地局は送信機に、少なくとも１つの端末それぞれは受信機に動作する。
【０００３】
マルチ入出力通信システムにおいて動作する送信機または受信機は複数のアンテナを含み、そのアンテナを用いてデータを送／受信する。ここで、送信機の各送信アンテナと受信機の各受信アンテナとの間には無線チャネルが形成され、送信機及び受信機はその無線チャネルに関する情報を共有することによって、高いデータ送信率を達成することができる。
【０００４】
閉ループマルチ入出力通信システムにおいて、送信機と受信機との間で共有されなければならないフィードバック情報は、受信機の選好されるランクを示すランク指示子、選好されるプリコーディングマトリックスを示すプリコーディングマトリックス指示子、無線チャネルの品質を示すチャネル品質情報などを含む。特に、受信機は、予め定義されたコードブックを用いてコードブックに含まれたマトリックスまたはベクトルのいずれか１つを選択し、その選択されたマトリックスまたはベクトルのインデックスをプリコーディングマトリックス指示子として送信機にフィードバックする。
【発明の概要】
【課題を解決するための手段】
【０００５】
本発明の一実施形態に係る受信機の通信方法は、送信機にフィードバックされるフィードバック情報に対するレポーティングモードを認知するステップと、第１コードブックから前記複数のサブバンドの集合に対する第１プリコーディングマトリックス指示子を生成するステップと、第２コードブックから前記複数のサブバンドのうち特定サブバンドそれぞれに対する第２プリコーディングマトリックス指示子を生成するステップと、前記送信機に前記第１プリコーディングマトリックス指示子及び前記第２プリコーディングマトリックス指示子をフィードバックするステップとを含む。
【０００６】
本発明の一実施形態に係る送信機の通信方法は、受信機からフィードバックされるフィードバック情報に対するレポーティングモードを認知するステップと、前記レポーティングモードに応じてフィードバックされる第１プリコーディングマトリックス指示子及び第２プリコーディングマトリックス指示子を受信するステップと、前記第１プリコーディングマトリックス指示子及び前記第２プリコーディングマトリックス指示子を用いてプリコーディングマトリックスを生成するステップとを含む。前記レポーティングモードにおいて、前記第１プリコーディングマトリックス指示子は、前記複数のサブバンドの集合に対して第１コードブックから生成されたものであり、前記第２プリコーディングマトリックス指示子は、前記複数のサブバンドのうち特定サブバンドそれぞれに対して第２コードブックから生成されたものである。
【０００７】
本発明の一実施形態に係る受信機の通信方法は、送信機にフィードバックされるフィードバック情報に対するレポーティングモードを認知するステップと、第１コードブックから前記複数のサブバンドの集合または前記複数のサブバンドのうち少なくとも１つに対する第１プリコーディングマトリックス指示子を生成するステップと、第２コードブックから前記複数のサブバンドの集合または前記複数のサブバンドのうち少なくとも１つに対する第２プリコーディングマトリックス指示子を生成するステップと、前記送信機に前記第１プリコーディングマトリックス指示子及び前記第２プリコーディングマトリックス指示子をフィードバックするステップとを含む。
【０００８】
本発明の一実施形態に係る送信機の通信方法は、受信機からフィードバックされるフィードバック情報に対するレポーティングモードを認知するステップと、前記レポーティングモードに応じてフィードバックされる第１プリコーディングマトリックス指示子及び第２プリコーディングマトリックス指示子を受信するステップと、前記第１プリコーディングマトリックス指示子及び前記第２プリコーディングマトリックス指示子を用いてプリコーディングマトリックスを生成するステップとを含む。前記レポーティングモードにおいて、前記第１プリコーディングマトリックス指示子は、前記複数のサブバンドの集合または前記複数のサブバンドのうち少なくとも１つに対して第１コードブックから生成されたものであり、前記第２プリコーディングマトリックス指示子は、前記複数のサブバンドの集合または前記複数のサブバンドのうち少なくとも１つに対して第２コードブックから生成されたものである。
【０００９】
本発明の一実施形態に係る受信機の通信方法は、受信機の選好されるランクを示すランク指示子を生成するステップと、第１コードブックから複数のサブバンドの集合または前記複数のサブバンドのうち特定サブバンドに対する第１プリコーディングマトリックス指示子を生成するステップと、第２コードブックから前記複数のサブバンドの集合に対する第２プリコーディングマトリックス指示子を生成するステップと、前記複数のサブバンドの集合に対するチャネル品質情報を生成するステップと、第１レポーティングの時点で前記ランク指示子を送信し、第２レポーティングの時点で前記第１プリコーディングマトリックス指示子を送信し、第３レポーティングの時点で前記複数のサブバンドの集合に対する第２プリコーディングマトリックス指示子及び前記複数のサブバンドの集合に対するチャネル品質情報を送信するステップを含む。
【００１０】
本発明の一実施形態に係る送信機の通信方法は、送信機にフィードバックされるフィードバック情報に対するレポーティングモードを認知するステップと、受信機から第１レポーティングの時点でランク指示子を受信し、第２レポーティングの時点で第１プリコーディングマトリックス指示子を受信し、第３レポーティングの時点で複数のサブバンドの集合に対する第２プリコーディングマトリックス指示子及び前記複数のサブバンドの集合に対するチャネル品質情報を受信するステップと、前記レポーティングモードに応じて前記ランク指示子、前記第１プリコーディングマトリックス指示子、前記複数のサブバンドの集合に対する第２プリコーディングマトリックス指示子及び前記複数のサブバンドの集合に対するチャネル品質情報を抽出するステップと、少なくとも前記第１プリコーディングマトリックス指示子及び前記複数のサブバンドの集合に対する第２プリコーディングマトリックス指示子を用いてプリコーディングマトリックスを生成するステップとを含む。
【００１１】
本発明の一実施形態に係る受信機の通信方法は、受信機の選好されるランクを示すランク指示子を生成するステップと、第１コードブックから複数のサブバンドの集合または前記複数のサブバンドのうち特定サブバンドに対する第１プリコーディングマトリックス指示子を生成するステップと、第２コードブックから前記複数のサブバンドの集合に対する第２プリコーディングマトリックス指示子を生成するステップと、前記複数のサブバンドの集合に対するチャネル品質情報を生成するステップと、前記複数のサブバンドのうち特定サブバンドそれぞれに対する第３プリコーディングマトリックス指示子を生成するステップと、前記複数のサブバンドのうち特定サブバンドそれぞれに対するチャネル品質情報を生成するステップと、第１レポーティングの時点で前記ランク指示子を送信し、第２レポーティングの時点で前記第１プリコーディングマトリックス指示子を送信し、第３レポーティングの時点で前記複数のサブバンドの集合に対する第２プリコーディングマトリックス指示子及び前記複数のサブバンドの集合に対するチャネル品質情報を送信し、第４レポーティングの時点で前記特定サブバンドそれぞれに対する第３プリコーディングマトリックス指示子及び前記特定サブバンドそれぞれに対するチャネル品質情報を送信するステップとを含む。
【００１２】
本発明の一実施形態に係る送信機の通信方法は、送信機にフィードバックされるフィードバック情報に対するレポーティングモードを認知するステップと、受信機から第１レポーティングの時点でランク指示子を受信し、第２レポーティングの時点で複数のサブバンドの集合または前記複数のサブバンドのうち特定サブバンドに対する第１プリコーディングマトリックス指示子を受信し、第３レポーティングの時点で前記複数のサブバンドの集合に対する第２プリコーディングマトリックス指示子及び前記複数のサブバンドの集合に対するチャネル品質情報を受信し、第４レポーティングの時点で前記特定サブバンドそれぞれに対する第３プリコーディングマトリックス指示子及び前記特定サブバンドそれぞれに対するチャネル品質情報を受信するステップと、前記レポーティングモードに応じて前記ランク指示子、前記第１プリコーディングマトリックス指示子、前記複数のサブバンドの集合に対する第２プリコーディングマトリックス指示子、前記複数のサブバンドの集合に対するチャネル品質情報、前記特定サブバンドそれぞれに対する第３プリコーディングマトリックス指示子及び前記特定サブバンドそれぞれに対するチャネル品質情報を抽出するステップと、少なくとも前記第１プリコーディングマトリックス指示子、前記第２プリコーディングマトリックス指示子及び前記第３プリコーディングマトリックス指示子を用いてプリコーディングマトリックスを生成するステップとを含む。
【００１３】
本発明の一実施形態に係る送信機及び受信機のうち少なくとも１つに設けられる通信装置は、全体コードブックのサブセットである第１コードブック及び第２コードブックが格納されたメモリと、前記第１コードブック及び前記第２コードブックそれぞれから該当プリコーディングマトリックス指示子を生成したり、前記該当プリコーディングマトリックス指示子それぞれに対応するプリコーディングマトリックスを抽出するプロセッサと、送信機と受信機との間で前記第１コードブック及び前記第２コードブックそれぞれから生成された該当プリコーディングマトリックス指示子を共有するための通信インタフェースとを含む。
【図面の簡単な説明】
【００１４】
【図１】マルチユーザマルチ入出力通信システムの例を示す図である。
【図２】ランク指示子、プリコーディングマトリックス指示子及びチャネル品質情報を共有する送信機及び受信機の通信方法を示すフローチャートである。
【図３】第１プリコーディングマトリックス指示子、第２プリコーディングマトリックス指示子及びチャネル品質情報を共有する送信機及び受信機の通信方法を示すフローチャートである。
【図４】第１プリコーディングマトリックス指示子、第２プリコーディングマトリックス指示子、チャネル品質情報及び差情報を共有する送信機及び受信機の通信方法を示すフローチャートである。
【図５】本発明の一実施形態に係る通信装置を示すブロック図である。
【発明を実施するための形態】
【００１５】
以下、本発明の実施形態を添付する図面を参照しながら詳細に説明する。
【００１６】
図１は、マルチユーザマルチ入出力通信システムの例を示す図である。
【００１７】
図１を参照すると、マルチユーザマルチ入出力通信システムは、基地局１１０及び複数の端末１２０、１３０、１４０を含む。下りリンクにおいて、基地局１１０は送信機として動作し、複数の端末１２０、１３０、１４０それぞれは受信機として動作する。反対に、上りリンクにおいて、基地局１１０は受信機として動作し、複数の端末１２０、１３０、１４０それぞれは送信機として動作する。
【００１８】
下記では基地局１１０及び複数の端末１２０、１３０、１４０が下りリンクとして動作することを仮定して本発明の実施形態を説明する。もちろん、本発明の実施形態は上りリンクでも適用され得る。
【００１９】
２、４、８個などのように複数のアンテナを有する基地局１１０は、下りリンクでデータを送信するためにデータストリームをプリコーディングする。ここで、基地局１１０は、基地局１１０のアンテナから端末１２０、１３０、１４０それぞれのアンテナへのチャネルに関する情報を把握しなければならない。すなわち、基地局１１０と端末１２０、１３０、１４０は前記チャネルに関する情報を共有しなければならないため、端末１２０、１３０、１４０はチャネルに関する情報を基地局１１０にフィードバックする。
【００２０】
チャネルに関する情報は、プリコーディングマトリックス指示子、チャネル品質情報を含んでもよい。基地局１１０、端末１２０、１３０、１４０には予め設定された数のマトリックスまたはベクトルを含む同一のコードブックが格納され、端末１２０、１３０、１４０はコードブックでいずれか１つのマトリックスまたはベクトルを選択し、プリコーディングマトリックス指示子を生成する。例えば、選択されたいずれか１つのマトリックスまたはベクトルのインデックスがプリコーディングマトリックス指示子であってもよい。また、チャネル品質情報は、チャネルの強度に関する情報、チャネルに影響を与える干渉または雑音に関する情報を含んでもよい。
【００２１】
コードブックのサイズは２、３、４、５、６ビットなどのように様々に決定されてもよい。例えば、４ビットコードブックは２４＝１６個のベクトルまたはマトリックスを含む。ベクトルは１つのカラムだけを有するマトリックスであるため、「マトリックス」とは「ベクトル」の概念を含むものと理解されなければならない。
【００２２】
下記では様々な実施形態において、基地局１１０、端末１２０、１３０、１４０がプリコーディングマトリックス指示子、チャネル品質情報、ランク指示子などをどのように共有するかについて説明する。
【００２３】
本発明の実施形態によれば、互いに異なる２つのコードブックＣ１、Ｃ２が用いられてもよい。すなわち、２つのコードブックは、基地局１１０、端末１２０、１３０、１４０に格納される。ここで、端末１２０、１３０、１４０は、コードブックＣ１から選好されるプリコーディングマトリックスＷ１を選択し、他のコードブックＣ２から選好されるプリコーディングマトリックスＷ２を選択してもよい。ここで、Ｗ１のインデックスとＷ２のインデックスがプリコーディングマトリックス指示子などである。ここで、Ｗ１はＣ１の要素であり、Ｗ２はＣ２の要素である。
【００２４】
周波数ドメインで複数のサブバンドが存在する場合、基地局１１０によって実際に用いられる１つのサブバンドに対するプリコーディングマトリックスＷはＷ１とＷ２の関数である。ここで、Ｗ１はワイドバンドチャネル特性（ｐｒｏｐｅｒｔｙ）またはロングタームチャネル特性に関連し、Ｗ２は周波数-選択的チャネル特性またはショットタームチャネル特性に関連するものであってもよい。
【００２５】
チャネル品質情報ＣＱＩ、プリコーディングマトリックス指示子ＰＭＩ、ランク指示子ＲＩなどは物理上りリンク共有チャネルＰＵＳＣＨまたは物理上りリンク制御チャネルＰＵＣＣＨのいずれか１つによって送／受信される。
【００２６】
ＰＵＳＣＨを利用した非周期的なＣＱＩ／ＰＭＩ／ＲＩレポーティング
【００２７】
端末はＣＱＩ、ＰＭＩ及びＲＩをＰＵＳＣＨによってフィードバックしてもよい。ここで、下記の表に記載された様々なレポーティングモードが端末によって用いられてもよい。
【００２８】
【表１】
2013529430.tif 000003
【００２９】
送信モードに応じて適用されるレポーティングモードが変わることがあり、例えば、７個の送信モードが存在する場合、送信モードそれぞれに適用されるレポーティングモードは次の通り示すことができる。
【００３０】
Ｔｒａｎｓｍｉｓｓｉｏｎ  ｍｏｄｅ（送信モード）１：Ｍｏｄｅｓ２−０、３−０
Ｔｒａｎｓｍｉｓｓｉｏｎ  ｍｏｄｅ２：Ｍｏｄｅｓ２−０、３−０
Ｔｒａｎｓｍｉｓｓｉｏｎ  ｍｏｄｅ３：Ｍｏｄｅｓ２−０、３−０
Ｔｒａｎｓｍｉｓｓｉｏｎ  ｍｏｄｅ４：Ｍｏｄｅｓ１−２、２−２、３−１  
Ｔｒａｎｓｍｉｓｓｉｏｎ  ｍｏｄｅ５：Ｍｏｄｅ  ３−１
Ｔｒａｎｓｍｉｓｓｉｏｎ  ｍｏｄｅ６：  Ｍｏｄｅｓ１−２、２−２、３−１
Ｔｒａｎｓｍｉｓｓｉｏｎ  ｍｏｄｅ７：Ｍｏｄｅｓ２−０、３−０
【００３１】
また、上述した送信モード１から７の他に送信モード８は端末がＰＭＩ及びＲＩレポーティングを伴う場合にＭｏｄｅｓ１−２、２−２、３−１を支援し、端末がＰＭＩ及びＲＩレポーティングを伴わない場合にＭｏｄｅｓ２−０、３−０を支援することによって定義される。
【００３２】
また、送信モード１から８の他にも送信モード９が提案されてもよく、その送信モード９は前記表１に記載されたレポーティングモードのうち少なくとも１つを支援してもよい。特に、送信モード９において、表１に記載されたレポーティングモードは送信アンテナの数が２、４、８個など任意の数の場合にも用いられてもよい。
【００３３】
送信モード８及び送信モード９において、端末がＰＭＩ及びＲＩレポーティングを伴うのであれば、Ｍｏｄｅｓ１−２、２−２、３−１、１−２．１、２−２．１が用いられる。このようなモードはＭｏｄｅｓ１−２、２−２、３−１の修正されたバージョンと見ることができ、４個の送信アンテナだけではなく、８個の送信アンテナが存在する場合にも適用され得る。そして、端末がＰＭＩ及びＲＩレポーティングを伴わなければ、Ｍｏｄｅｓ２−０、３−０が用いられる。
【００３４】
レポーティングモードＭｏｄｅｓ１−２．１、２−２．１、３−１．１は次のような基準（ｐｈｉｌｏｓｏｐｈｙ）を有する。
【００３５】
・大きいリソースブロックの割当に対して適切なプリコーディングマトリックスを報告するために、またはフィードバックオーバーヘッドを減らすためにワイドバンドマトリックス指示子が要求されるごとに、Ｗ１のプリコーディングマトリックス指示子が生成される。そして、高い正確度を有するワイドバンドマトリックス指示子が要求されるごとにワイドバンドでＷ２の追加的なプリコーディングマトリックス指示子が生成される。
【００３６】
・サブバンドマトリックス指示子が要求されるごとに、Ｗ２の追加的なプリコーディングマトリックス指示子が生成される。
【００３７】
単一のサブバンドＰＭＩは、レポーティングモードに応じて複数のサブバンドの集合、または個別的なサブバンドで算出される。チャネル品質情報は、推薦されるプリコーディングマトリックスＷに基づいて算出されてもよく、推薦されるプリコーディングマトリックスＷは、Ｗ１とＷ２の関数である。ワイドバンドＣＱＩはＷ２が全てのサブバンドに対して報告される場合、またはサブバンドの集合に対して報告される場合、Ｗに基づいて算出される。そうではない場合も、ワイドバンドＣＱＩはＷ１とＷ２の関数のＷに基づいて算出される。サブバンドＣＱＩは１つのサブバンドで算出されたり、複数のサブバンドの集合のサブセットで算出される。そして、サブバンドＣＱＩはＷ１とＷ２の関数のＷに基づいてサブバンドで算出される。
【００３８】
１．ワイドバンドフィードバック
（１）レポーティングモード１−２
・各サブバンドに対して、サブバンドだけでの送信を仮定して第１コードブックＣ１から第１プリコーディングマトリックスＷ１のプリコーディングマトリックス指示子が生成される。
・端末はコードワード当り１つのワイドバンドＣＱＩをフィードバックし、そのワイドバンドＣＱＩは各サブバンドで該当のプリコーディングマトリックスＷが用いられ、サブバンドの集合における送信を仮定して算出される。
・端末は、各サブバンドに対して選択されたプリコーディングマトリックス指示子をフィードバックする。
・各サブバンドのサイズは様々に決定され得る。
・送信モード８または送信モード９に対して、ＰＭＩ及びＣＱＩは報告されたランク指示子に基づいて算出される。
・ここで、第１コードブックＣ１及び第２コードブックＣ２は１つの同一のコードブックＣのサブセットである。
（２）レポーティングモード１−２．１
・サブバンドの集合における送信を仮定して第１コードブックＣ１から第１プリコーディングマトリックスＷ１のサブバンドの集合に対する第１プリコーディングマトリックス指示子が生成される。
・各サブバンドに対して、選択されたサブバンドだけでの送信を仮定し、第２コードブックＣ２から第２プリコーディングマトリックスＷ２の第２プリコーディングマトリックス指示子が生成される。特に、Ｗ１とＷ２の関数のＷに基づいて送信されることが仮定される。
・端末はコードワード当り１つのワイドバンドＣＱＩをレポーティングし、それは各サブバンドで該当のプリコーディングマトリックスＷの使用とサブバンドの集合における送信を仮定して算出される。
・端末は各サブバンドに対する第２プリコーディングマトリックス指示子をレポーティングする。
レポーティングモード１−２．１で、ＰＭＩ、ＣＱＩは報告されたランク指示子に基づいて算出され、サブバンドのサイズは様々に決定され得る。
【００３９】
２．上位階層におけるサブバンドフィードバック
（１）レポーティングモード３−１
・サブバンドの集合における送信を仮定して第１コードブックＣ１から単一の第１プリコーディングマトリックスＷ１の第１プリコーディングマトリックス指示子が生成される。
・サブバンドの集合における送信を仮定して第２コードブックＣ２から単一の第２プリコーディングマトリックスＷ２の第２プリコーディングマトリックス指示子が生成される。
・端末は、各サブバンドに対してコードワード当たり１つのサブバンドＣＱＩをレポーティングする。ここで、サブバンドＣＱＩは全てのサブバンドでＷ１とＷ２の関数であるＷの使用と該当のサブバンドにおける送信を仮定して算出される。
・端末は、コードワード当り１つのワイドバンドＣＱＩをレポーティングする。ここで、ワイドバンドＣＱＩは全てのサブバンドでＷ１とＷ２の関数であるＷの使用とサブバンドの集合における送信を仮定して算出される。
・送信モード８及び送信モード９に関連し、ＰＭＩ及びＣＱＩは報告されたＲＩに基づいて算出される。
（２）複数のサブバンドの集合に対するＣＱＩと各コードワードに対するサブバンドＣＱＩの間の差に関する情報（差情報）は２ビットを用いて符号化されてもよい。
（３）サブバンドサイズは様々に決定され得る。
３．ユーザ選択サブバンドフィードバック（ＵＥ−ｓｅｌｅｃｔｅｄ  ｓｕｂｂａｎｄ  ｆｅｅｄｂａｃｋ）
（１）レポーティングモード２−２
・サブバンドの集合における送信を仮定して、第１コードブックＣ１から単一の第１プリコーディングマトリックスＷ１の第１プリコーディングマトリックス指示子が生成される。
・端末は、各サブバンドに対してコードワード当たり１つのサブバンドＣＱＩをレポーティングする。ここで、サブバンドＣＱＩは、全てのサブバンドでＷ１とＷ２の関数であるＷの使用とサブバンドの集合における送信を仮定して算出される。
・端末は、また、サブバンドの集合に対する単一の第１プリコーディングマトリックスＷ１の第１プリコーディングマトリックス指示子をレポーティングする。
・端末は、サブバンドの集合内にあるサイズｋのＭ個の選好されるサブバンドのサブセットと、第１コードブックから選択された第１プリコーディングマトリックスのジョイント選択を行う。ここで、第１プリコーディングマトリックスは、Ｍ個の選択されたサブバンドにおける送信のために用いられるプリコーディングマトリックスである。
・端末は、Ｍ個の選好されるサブバンドにおける送信のみを考慮し、Ｍ個のサブバンドそれぞれで単一の同一のプリコーディングマトリックスを用いてコードワード当たり１つのＣＱＩを報告する。
・端末は、Ｍ個の選択されたサブバンドに対して選択された単一の第１プリコーディングマトリックスの第１プリコーディングマトリックス指示子をレポーティングする。
・送信モード８及び送信モード９に関連し、ＰＭＩ及びＣＱＩは報告されたＲＩに基づいて算出される。
（２）レポーティングモード２−２．１
・サブバンドの集合における送信を仮定して、第１コードブックＣ１から単一の第１プリコーディングマトリックスＷ１の第１プリコーディングマトリックス指示子が生成される。
・端末はコードワード当り１つのワイドバンドＣＱＩをレポーティングし、それは全てのサブバンドで単一の第１プリコーディングマトリックスＷ１の使用とサブバンドの集合における送信を仮定して算出される。
・端末は、全てのサブバンドの集合に対して単一の第１プリコーディングマトリックスＷ１の第１プリコーディングマトリックス指示子をレポーティングする。
・端末は、サブバンドの集合内にあるサイズｋのＭ個の選好されるサブバンドのサブセットと、第２コードブックから選択された第２プリコーディングマトリックスＷ２のジョイント選択を行う。ここで、プリコーディングマトリックスＷはＷ１とＷ２の関数であり、それはＭ個の選択されたサブバンドにおける送信のために用いられるプリコーディングマトリックスである。
・端末は、Ｍ個の選択されたサブバンドだけでの送信を仮定して、Ｍ個のサブバンドそれぞれで単一のプリコーディングマトリックスＷを同一に用いることを仮定してコードワード当り１つのワイドバンドＣＱＩをレポーティングする。
・端末は、Ｍ個のサブバンドに対する単一の第２プリコーディングマトリックス指示子をレポーティングする。
【００４０】
送信モード８及び送信モード９に関連し、ＰＭＩ及びＣＱＩは報告されたＲＩに基づいて算出される。
【００４１】
ユーザ選択サブバンドフィードバックモードに対して、端末はＭ個の選択されたサブバンドの位置をレポーティングする。
【００４２】
各コードワードに対するＭ個の選択されたサブバンドに対するＣＱＩとワイドバンドＣＱＩの間の差に関する情報（差情報）は２ビットを用いて符号化されてもよい。
【００４３】
Ｍ個のサブバンドの位置を指示する指示子はＬビットであってもよい。
【００４４】
ＰＵＣＣＨを利用した周期的なＣＱＩ／ＰＭＩ／ＲＩレポーティング
【００４５】
端末は差情報（ｄｉｆｆｅｒｅｎｔｉａｌ  ＣＱＩ）、ＰＭＩ及びＲＩをＰＵＣＣＨによってフィードバックしてもよい。ここで、下記の表２に記載された様々なレポーティングモードが端末によって用いられる。
【００４６】
【表２】
2013529430.tif 000004
【００４７】
上述した表２に記載されたモード１−０、１−１、２−０、２−１は３ＧＰＰ  ＬＴＥ  Ｒｅｌ.８ＴＳ３６．２１３に記載されている。モード２−２．０、２−２．１として新しいモードが提案され、これについては後述する。
【００４８】
送信モードに応じて適用されるレポーティングモードが変わることがあり、例えば、７個の送信モードが存在する場合、送信モードそれぞれに適用されるレポーティングモードは次の通り示すことができる。
【００４９】
Ｔｒａｎｓｍｉｓｓｉｏｎ  ｍｏｄｅ１：Ｍｏｄｅｓ１−０、２−０
Ｔｒａｎｓｍｉｓｓｉｏｎ  ｍｏｄｅ２：Ｍｏｄｅｓ１−０、２−０
Ｔｒａｎｓｍｉｓｓｉｏｎ  ｍｏｄｅ３：Ｍｏｄｅｓ１−０、２−０
Ｔｒａｎｓｍｉｓｓｉｏｎ  ｍｏｄｅ４：Ｍｏｄｅｓ１−１、２−１
Ｔｒａｎｓｍｉｓｓｉｏｎ  ｍｏｄｅ５：Ｍｏｄｅｓ１−１、２−１
Ｔｒａｎｓｍｉｓｓｉｏｎ  ｍｏｄｅ６：Ｍｏｄｅｓ１−１、２−１
Ｔｒａｎｓｍｉｓｓｉｏｎ  ｍｏｄｅ７：Ｍｏｄｅｓ１−０、２−０
【００５０】
また、上述した送信モード１から７の他に送信モード８は端末がＰＭＩ及びＲＩレポーティングを伴う場合にＭｏｄｅｓ１−１、２−１を支援し、端末がＰＭＩ及びＲＩレポーティングを伴わない場合にＭｏｄｅｓ１−０、２−０を支援することによって定義される。
【００５１】
また、送信モード１から８の他にも送信モード９が提案されてもよく、その送信モード９は表１に記載されたレポーティングモードのうち少なくとも１つを支援してもよい。特に、送信モード９において、表１に記載されたレポーティングモードは送信アンテナの数が２、４、８個などの任意数の場合にも用いられる。
【００５２】
レポーティングモードは、ｉ）「非（ｎｏ）サブバンドリポート／サブバンドリポート」、ｉｉ）「互いに異なるサブフレームでレポーティングされるＷ１及びＷ２／同一のサブフレームでレポーティングされるＷ１及びＷ２」に基づいて分類されてもよい。追加的なカテゴリーは、ワイドバンドまたはサブバンド情報としてＷ２を考慮することによって取得される。Ｗ２がワイドバンド情報として用いられれば、Ｗ２はＷ２＿ｗとして表現される。そして、Ｗ２がサブバンド情報として用いられれば、Ｗ２はＷ２＿ｓとして表現される。その上、Ａ‖Ｂは情報Ａと情報Ｂが互いに異なるサブフレームでレポーティングされることを意味する。
【００５３】
上述したように、モード２−２．０、２−２．１として新しいモードが提案され得る。
【００５４】
１）レポーティングモードＲＩ、Ｗ１‖Ｗ２＿ｗ、ＣＱＩ＿ｗ
・ランク指示子ＲＩ及びＷ１のプリコーディングマトリックス指示子は、同一のサブフレームでレポーティングされる。それらは共同に（ｊｏｉｎｔｌｙ）または個別的に（ｓｅｐａｒａｔｅｌｙ）符号化されてもよい。Ｗ１は第１コードブック、Ｃ１または第１コードブックのサブセットから選択される。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的に（ｅｘｐｌｉｃｉｔｌｙ）シグナリングされない。
・ワイドバンドＣＱＩ＿ｗは、プリコーディングマトリックスがＷ１とＷ２＿ｗの関数であることを仮定して算出され、Ｗ２＿ｗのプリコーディングマトリックス指示子とワイドバンドＣＱＩ＿ｗは共同に符号化され、同一のサブフレームでレポーティングされる。
Ｗ２＿ｗが第２コードブックＣ２または第２コードブックＣ２のサブセットにあるため、フィードバック正確度が増加し得る。特に、ＰＵＣＣＨパワー制御が適用される場合とエネルギー制限（ｃｏｎｓｔｒａｉｎｔ）が適用される場合にエラー伝播（ｅｒｒｏｒ  ｐｒｏｐａｇａｔｉｏｎ）に対する頑健性（ｒｏｂｕｓｔｎｅｓｓ）を増加させることができる。
第１コードブックから選択されるプリコーディングマトリックスに対応する指示子を第１プリコーディングマトリックス指示子と呼ばれてもよく、第２コードブックから選択されるプリコーディングマトリックスに対応する指示子をプリコーディングマトリックス指示子と呼ばれてもよい。第１コードブックから選択されるプリコーディングマトリックスはＷ１と表現されてもよく、第２コードブックから選択されるプリコーディングマトリックスはＷ２＿ｗ、Ｗ２＿ｓと表現されてもよい。
【００５５】
２）Ｒｅｐｏｒｔｉｎｇ  ｍｏｄｅＲＩ｜｜Ｗ１｜｜Ｗ２＿ｗ、ＣＱＩ＿ｗ
・ランク指示子ＲＩ及びＷ１のプリコーディングマトリックス指示子は、互いに異なるサブフレームでレポーティングされる。Ｗ１は第１コードブックＣ１または第１コードブックのサブセットから選択される。
・Ｗ２＿ｗは全体帯域から選択されたＷ２であり、第２コードブックまたは第２コードブックのサブセットから選択される。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・ワイドバンドＣＱＩ＿ｗは、プリコーディングマトリックスがＷ１とＷ２＿ｗの関数であることを仮定して算出され、Ｗ２＿ｗのプリコーディングマトリックス指示子とワイドバンドＣＱＩ＿ｗは共同に符号化され、同一のサブフレームでレポーティングされる。
・「ＲＩ」、「Ｗ１のプリコーディングマトリックス指示子」、「Ｗ２＿ｗのプリコーディングマトリックス指示子、ＣＱＩ＿ｗ」は３つの互いに異なるサブフレームでレポーティングされる。
Ｗ２＿ｗが第２コードブックＣ２または第２コードブックＣ２のサブセットにあるため、フィードバック正確度が増加し得る。
【００５６】
３）Ｒｅｐｏｒｔｉｎｇ  ｍｏｄｅＲＩ｜｜Ｗ１、Ｗ２＿ｗ｜｜ＣＱＩ＿ｗ
・ランク指示子ＲＩ及びＷ１のプリコーディングマトリックス指示子は互いに異なるサブフレームでレポーティングされる。Ｗ１は、第１コードブックＣ１または第１コードブックのサブセットから選択される。
・Ｗ２＿ｗは全体帯域から選択されたＷ２であり、第２コードブックまたは第２コードブックのサブセットから選択される。Ｗ１のプリコーディングマトリックス指示子とＷ２＿ｗのプリコーディングマトリックス指示子は共同に符号化され、同一のサブフレームでレポーティングされる。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・ワイドバンドＣＱＩ＿ｗは、プリコーディングマトリックスがＷ１とＷ２＿ｗの関数であることを仮定して算出される。
・「ＲＩ」、「Ｗ１のプリコーディングマトリックス指示子、Ｗ２＿ｗのプリコーディングマトリックス指示子」と「ＣＱＩ＿ｗ」は３つの互いに異なるサブフレームでレポーティングされる。
【００５７】
４）Ｒｅｐｏｒｔｉｎｇ  ｍｏｄｅＲＩ｜｜Ｗ１、Ｗ２＿ｗ、ＣＱＩ＿ｗ
−ランク指示子ＲＩ及びＷ１のプリコーディングマトリックス指示子は、互いに異なるサブフレームでレポーティングされる。Ｗ１は第１コードブックＣ１または第１コードブックのサブセットから選択される。
・Ｗ２＿ｗは全体帯域から選択されたＷ２であり、第２コードブックまたは第２コードブックのサブセットから選択される。「Ｗ１のプリコーディングマトリックス指示子」、「Ｗ２＿ｗのプリコーディングマトリックス指示子」と「ＣＱＩ＿ｗ」は共同に符号化され、同一のサブフレームでレポーティングされる。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・ワイドバンドＣＱＩ＿ｗは、プリコーディングマトリックスがＷ１とＷ２＿ｗの関数であることを仮定して算出される。
・「ＲＩ」、「Ｗ１のプリコーディングマトリックス指示子、Ｗ２＿ｗのプリコーディングマトリックス指示子、ＣＱＩ＿ｗ」は２つの他のサブフレームでレポーティングされる。
【００５８】
５）Ｒｅｐｏｒｔｉｎｇ  ｍｏｄｅＲＩ、Ｗ１、Ｗ２＿ｗ｜｜ＣＱＩ＿ｗ
・ランク指示子ＲＩ、Ｗ１のプリコーディングマトリックス指示子及びＷ２＿ｗのプリコーディングマトリックス指示子は共同に符号化され、同一のサブフレームでレポーティングされる。Ｗ１は第１コードブックＣ１または第１コードブックのサブセットから選択される。
・Ｗ２＿ｗは全体帯域から選択されたＷ２であり、第２コードブックまたは第２コードブックのサブセットから選択される。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・ワイドバンドＣＱＩ＿ｗは、プリコーディングマトリックスがＷ１とＷ２＿ｗの関数であることを仮定して算出される。
・「ＲＩ、Ｗ１のプリコーディングマトリックス指示子、Ｗ２＿ｗのプリコーディングマトリックス指示子」、「ＣＱＩ＿ｗ」は２つの他のサブフレームでレポーティングされる。
【００５９】
６）Ｒｅｐｏｒｔｉｎｇ  ｍｏｄｅＲＩ、Ｗ１｜｜Ｗ２＿ｗ、ＣＱＩ＿ｗ｜｜ＣＱＩ＿ｓ
・ランク指示子ＲＩ、Ｗ１のプリコーディングマトリックス指示子は、同一のサブフレームでレポーティングされる。それらは共同にまたは個別的に符号化されてもよい。Ｗ１は第１コードブックＣ１または第１コードブックのサブセットから選択される。
・Ｗ２＿ｗは全体帯域から選択されたＷ２であり、第２コードブックまたは第２コードブックのサブセットから選択される。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・ワイドバンドＣＱＩ＿ｗは、プリコーディングマトリックスがＷ１とＷ２＿ｗの関数であることを仮定して算出される。Ｗ２＿ｗのプリコーディングマトリックス指示子とワイドバンドＣＱＩ＿ｗは共同に符号化され、同一のサブフレームでレポーティングされる。
・ＣＱＩ＿ｓはサブバンドＣＱＩのことをいい、例えば、帯域幅の部分から選択された１つのサブバンドで取得されてもよい。そして、ＣＱＩ＿ｓは、プリコーディングマトリックスがサブバンドでＷ１とＷ２＿ｗの関数であることを仮定して算出される。
・「ＲＩ、Ｗ１のプリコーディングマトリックス指示子」、「Ｗ２＿ｗのプリコーディングマトリックス指示子、ＣＱＩ＿ｗ」、「ＣＱＩ＿ｓ」は３つの他のサブフレームでレポーティングされる。
【００６０】
７）Ｒｅｐｏｒｔｉｎｇ  ｍｏｄｅＲＩ｜｜Ｗ１｜｜Ｗ２＿ｗ、ＣＱＩ＿ｗ｜｜ＣＱＩ＿ｓ
・ランク指示子ＲＩ、Ｗ１のプリコーディングマトリックス指示子は、他のサブフレームでレポーティングされる。Ｗ１は、第１コードブックＣ１または第１コードブックのサブセットから選択される。
・Ｗ２＿ｗは全体帯域から選択されたＷ２であり、第２コードブックまたは第２コードブックのサブセットから選択される。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・ワイドバンドＣＱＩ＿ｗは、プリコーディングマトリックスがＷ１とＷ２＿ｗの関数であることを仮定して算出される。Ｗ２＿ｗのプリコーディングマトリックス指示子とワイドバンドＣＱＩ＿ｗは共同に符号化され、同一のサブフレームでレポーティングされる。
・ＣＱＩ＿ｓはサブバンドＣＱＩのことをいい、例えば、帯域幅の部分から選択された１つのサブバンドで取得されてもよい。そして、ＣＱＩ＿ｓは、プリコーディングマトリックスがサブバンドでＷ１とＷ２＿ｗの関数であることを仮定して算出される。
・「ＲＩ」、「Ｗ１のプリコーディングマトリックス指示子」、「Ｗ２＿ｗのプリコーディングマトリックス指示子、ＣＱＩ＿ｗ」、「ＣＱＩ＿ｓ」は４個の他のサブフレームでレポーティングされる。
【００６１】
８）Ｒｅｐｏｒｔｉｎｇ  ｍｏｄｅＲＩ｜｜Ｗ１、ＣＱＩ＿ｗ｜｜Ｗ２＿ｗ、ＣＱＩ＿ｓ
・ランク指示子ＲＩ、Ｗ１のプリコーディングマトリックス指示子は、他のサブフレームでレポーティングされる。Ｗ１は、第１コードブックＣ１または第１コードブックのサブセットから選択される。
−Ｗ２＿ｗは全体帯域から選択されたＷ２であり、第２コードブックまたは第２コードブックのサブセットから選択される。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・ワイドバンドＣＱＩ＿ｗは、プリコーディングマトリックスがＷ１のみの関数であることを仮定して算出される（すなわち、Ｗ２はＷ１が選択された場合に特定エントリに予め定義されている）。Ｗ２Ｗ１ケースで、Ｗ２はアイデンティティマトリックスに予め定義される。Ｗ１のプリコーディングマトリックス指示子とワイドバンドＣＱＩ＿ｗは共同に符号化され、同一のサブフレームでレポーティングされる。
・ＣＱＩ＿ｓはサブバンドＣＱＩのことをいい、例えば、帯域幅の部分から選択された１つのサブバンドで取得されてもよい。そして、ＣＱＩ＿ｓは、プリコーディングマトリックスがサブバンドでＷ１とＷ２＿ｗの関数であることを仮定して算出される。Ｗ２＿ｗのプリコーディングマトリックス指示子とＣＱＩ＿ｓは共同に符号化され、同一のサブフレームでレポーティングされる。
・「ＲＩ」、「Ｗ１のプリコーディングマトリックス指示子、ＣＱＩ＿ｗ」、「Ｗ２＿ｗのプリコーディングマトリックス指示子、ＣＱＩ＿ｓ」は３つの他のサブフレームでレポーティングされる。
【００６２】
９）Ｒｅｐｏｒｔｉｎｇ  ｍｏｄｅＲＩ、Ｗ１｜｜Ｗ２＿ｗ、ＣＱＩ＿ｗ｜｜Ｗ２＿ｓ、ＣＱＩ＿ｓ
・ランク指示子ＲＩ、Ｗ１のプリコーディングマトリックス指示子は、同一のサブフレームでレポーティングされる。それらは共同にまたは個別的に符号化されてもよい。Ｗ１は第１コードブックＣ１または第１コードブックのサブセットから選択される。
・Ｗ２＿ｗは全体帯域から選択されたＷ２であり、第２コードブックまたは第２コードブックのサブセットから選択される。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・Ｗ２＿ｓは１つのサブバンドで選択されたＷ２であり、第２コードブックまたは第２コードブックのサブセットから選択される。
・ワイドバンドＣＱＩ＿ｗは、プリコーディングマトリックスがＷ１とＷ２＿ｗの関数であることを仮定して算出される。Ｗ２＿ｗのプリコーディングマトリックス指示子とワイドバンドＣＱＩ＿ｗは共同に符号化され、同一のサブフレームでレポーティングされる。
・ＣＱＩ＿ｓはサブバンドＣＱＩのことをいい、例えば、帯域幅の部分から選択された１つのサブバンドで取得されてもよい。そして、ＣＱＩ＿ｓは、プリコーディングマトリックスがサブバンドでＷ１とＷ２＿ｓの関数であることを仮定して算出される。Ｗ２＿ｓのプリコーディングマトリックス指示子とＣＱＩ＿ｓは共同に符号化され、同一のサブフレームでレポーティングされる。
・「ＲＩ、Ｗ１のプリコーディングマトリックス指示子」、「Ｗ２＿ｗのプリコーディングマトリックス指示子、ＣＱＩ＿ｗ」、「Ｗ２＿ｓのプリコーディングマトリックス指示子、ＣＱＩ＿ｓ」は３つの他のサブフレームでレポーティングされる。
【００６３】
１０）Ｒｅｐｏｒｔｉｎｇ  ｍｏｄｅＲＩ｜｜Ｗ１｜｜Ｗ２＿ｗ、ＣＱＩ＿ｗ｜｜Ｗ２＿ｓ、ＣＱＩ＿ｓ
・ランク指示子ＲＩ、Ｗ１のプリコーディングマトリックス指示子は、他のサブフレームでレポーティングされる。Ｗ１は第１コードブックＣ１または第１コードブックのサブセットから選択される。
・Ｗ２＿ｗは全体帯域から選択されたＷ２であり、第２コードブックまたは第２コードブックのサブセットから選択される。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・Ｗ２＿ｓは１つのサブバンドで選択されたＷ２であり、第２コードブックまたは第２コードブックのサブセットから選択される。
・ワイドバンドＣＱＩ＿ｗは、プリコーディングマトリックスがＷ１とＷ２＿ｗの関数であることを仮定して算出される。Ｗ２＿ｗのプリコーディングマトリックス指示子とワイドバンドＣＱＩ＿ｗは共同に符号化され、同一のサブフレームでレポーティングされる。
・ＣＱＩ＿ｓはサブバンドＣＱＩのことをいい、例えば、帯域幅の部分から選択された１つのサブバンドで取得されてもよい。そして、ＣＱＩ＿ｓは、プリコーディングマトリックスがサブバンドでＷ１とＷ２＿ｓの関数であることを仮定して算出される。Ｗ２＿ｓのプリコーディングマトリックス指示子とＣＱＩ＿ｓは共同に符号化され、同一のサブフレームでレポーティングされる。
・「ＲＩ」、「Ｗ１のプリコーディングマトリックス指示子」、「Ｗ２＿ｗのプリコーディングマトリックス指示子、ＣＱＩ＿ｗ」、「Ｗ２＿ｓのプリコーディングマトリックス指示子、ＣＱＩ＿ｓ」は４個の他のサブフレームでレポーティングされる。
【００６４】
１１）Ｒｅｐｏｒｔｉｎｇ  ｍｏｄｅＲＩ｜｜Ｗ１、Ｗ２＿ｗ、ＣＱＩ＿ｗ｜｜Ｗ２＿ｓ、ＣＱＩ＿ｓ
・ランク指示子ＲＩ、Ｗ１のプリコーディングマトリックス指示子は、他のサブフレームでレポーティングされる。Ｗ１は第１コードブックＣ１または第１コードブックのサブセットから選択される。
・Ｗ２＿ｗは全体帯域から選択されたＷ２であり、第２コードブックまたは第２コードブックのサブセットから選択される。Ｗ１のプリコーディングマトリックス指示子、Ｗ２＿ｗのプリコーディングマトリックス指示子、ＣＱＩ＿ｗは共同に符号化され、同一のサブフレームでレポーティングされる。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・Ｗ２＿ｓは１つのサブバンドで選択されたＷ２であり、第２コードブックまたは第２コードブックのサブセットから選択される。
・ワイドバンドＣＱＩ＿ｗは、プリコーディングマトリックスがＷ１とＷ２＿ｗの関数であることを仮定して算出される。
・ＣＱＩ＿ｓはサブバンドＣＱＩのことをいい、例えば、帯域幅の部分から選択された１つのサブバンドで取得されてもよい。そして、ＣＱＩ＿ｓはプリコーディングマトリックスがサブバンドでＷ１とＷ２＿ｓの関数であることを仮定して算出される。Ｗ２＿ｓのプリコーディングマトリックス指示子とＣＱＩ＿ｓは共同に符号化され、同一のサブフレームでレポーティングされる。
・「ＲＩ」、「Ｗ１のプリコーディングマトリックス指示子、Ｗ２＿ｗのプリコーディングマトリックス指示子、ＣＱＩ＿ｗ」、「Ｗ２＿ｓのプリコーディングマトリックス指示子、ＣＱＩ＿ｓ」は３つの他のサブフレームでレポーティングされる。
【００６５】
１２）Ｒｅｐｏｒｔｉｎｇ  ｍｏｄｅＲＩ｜｜Ｗ１、ＣＱＩ＿ｗ｜｜Ｗ２＿ｓ、ＣＱＩ＿ｓ
・ランク指示子ＲＩ、Ｗ１のプリコーディングマトリックス指示子は、他のサブフレームでレポーティングされる。Ｗ１は、第１コードブックＣ１または第１コードブックのサブセットから選択される。
・Ｗ２＿ｗは全体帯域から選択されたＷ２であり、第２コードブックまたは第２コードブックのサブセットから選択される。Ｗ１のプリコーディングマトリックス指示子、ＣＱＩ＿ｗは共同に符号化され、同一のサブフレームでレポーティングされる。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・Ｗ２＿ｓは１つのサブバンドで選択されたＷ２であり、第２コードブックまたは第２コードブックのサブセットから選択される。
・ワイドバンドＣＱＩ＿ｗは、プリコーディングマトリックスがＷ１のみの関数であることを仮定して算出される（すなわち、Ｗ２はＷ１が選択された場合に特定エントリに予め定義されている）。Ｗ２Ｗ１ケースで、Ｗ２は、例えば、アイデンティティマトリックスで予め定義される。Ｗ１のプリコーディングマトリックス指示子とワイドバンドＣＱＩ＿ｗは共同に符号化され、同一のサブフレームでレポーティングされる。
・ＣＱＩ＿ｓはサブバンドＣＱＩのことをいい、例えば、帯域幅の部分から選択された１つのサブバンドで取得されてもよい。そして、ＣＱＩ＿ｓは、プリコーディングマトリックスがサブバンドでＷ１とＷ２＿ｓの関数であることを仮定して算出される。Ｗ２＿ｓのプリコーディングマトリックス指示子とＣＱＩ＿ｓは共同に符号化され、同一のサブフレームでレポーティングされる。
・「ＲＩ」、「Ｗ１のプリコーディングマトリックス指示子、ＣＱＩ＿ｗ」、「Ｗ２＿ｓのプリコーディングマトリックス指示子、ＣＱＩ＿ｓ」は３つの他のサブフレームでレポーティングされる。
【００６６】
１３）Ｒｅｐｏｒｔｉｎｇ  ｍｏｄｅＲＩ｜｜Ｗ１、Ｗ２＿ｗ｜｜ＣＱＩ＿ｗ｜｜ＣＱＩ＿ｓ
・ランク指示子ＲＩ、Ｗ１のプリコーディングマトリックス指示子は、他のサブフレームでレポーティングされる。Ｗ１は第１コードブックＣ１または第１コードブックのサブセットから選択される。
・Ｗ２＿ｗは全体帯域から選択されたＷ２であり、第２コードブックまたは第２コードブックのサブセットから選択される。Ｗ１のプリコーディングマトリックス指示子、Ｗ２＿ｗのプリコーディングマトリックス指示子は同一のサブフレームでレポーティングされる。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・ワイドバンドＣＱＩ＿ｗは、プリコーディングマトリックスがＷ１とＷ２＿ｗの関数であることを仮定して算出される。
・ＣＱＩ＿ｓはサブバンドＣＱＩのことをいい、例えば、帯域幅の部分から選択された１つのサブバンドで取得されてもよい。そして、ＣＱＩ＿ｓは、プリコーディングマトリックスがサブバンドでＷ１とＷ２＿ｓの関数であることを仮定して算出される。
・「ＲＩ」、「Ｗ１のプリコーディングマトリックス指示子、Ｗ２＿ｗのプリコーディングマトリックス指示子」、「ＣＱＩ＿ｗ」、「ＣＱＩ＿ｓ」は３つの他のサブフレームでレポーティングされる。
【００６７】
１４）Ｒｅｐｏｒｔｉｎｇ  ｍｏｄｅＲＩ｜｜Ｗ１、Ｗ２＿ｗ、ＣＱＩ＿ｗ｜｜ＣＱＩ＿ｓ
・ランク指示子ＲＩ、Ｗ１のプリコーディングマトリックス指示子は、他のサブフレームでレポーティングされる。Ｗ１は第１コードブックＣ１または第１コードブックのサブセットから選択される。
・Ｗ２＿ｗは全体帯域から選択されたＷ２であり、第２コードブックまたは第２コードブックのサブセットから選択される。Ｗ１のプリコーディングマトリックス指示子、Ｗ２＿ｗのプリコーディングマトリックス指示子、ＣＱＩ＿ｗは共同に符号化され、同一のサブフレームでレポーティングされる。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・ワイドバンドＣＱＩ＿ｗは、プリコーディングマトリックスがＷ１とＷ２＿ｗの関数であることを仮定して算出される。
・ＣＱＩ＿ｓはサブバンドＣＱＩのことをいい、例えば、帯域幅の部分から選択された１つのサブバンドで取得されてもよい。そして、ＣＱＩ＿ｓは、プリコーディングマトリックスがサブバンドでＷ１とＷ２＿ｓの関数であることを仮定して算出される。
・「ＲＩ」、「Ｗ１のプリコーディングマトリックス指示子、Ｗ２＿ｗのプリコーディングマトリックス指示子、ＣＱＩ＿ｗ」、「ＣＱＩ＿ｓ」は３つの他のサブフレームでレポーティングされる。
【００６８】
１５）Ｒｅｐｏｒｔｉｎｇ  ｍｏｄｅＲＩ、Ｗ１、Ｗ２＿ｗ｜｜ＣＱＩ＿ｗ｜｜ＣＱＩ＿ｓ
・ランク指示子ＲＩ、Ｗ１のプリコーディングマトリックス指示子、Ｗ２＿ｗのプリコーディングマトリックス指示子は共同に符号化され、同一のサブフレームでレポーティングされる。Ｗ１は、第１コードブックＣ１または第１コードブックのサブセットから選択される。
・Ｗ２＿ｗは全体帯域から選択されたＷ２であり、第２コードブックまたは第２コードブックのサブセットから選択される。
第２コードブックに対するサブセットが単に１つの要素のみを含めば、Ｗ１とＷ２＿ｗ間で１対１にマッピングされる。そのようなケースで、Ｗ２＿ｗのプリコーディングマトリックス指示子は明示的にシグナリングされない。
・ワイドバンドＣＱＩ＿ｗは、プリコーディングマトリックスがＷ１とＷ２＿ｗの関数であることを仮定して算出される。
−ＣＱＩ＿ｓはサブバンドＣＱＩのことをいい、例えば、帯域幅の部分から選択された１つのサブバンドで取得されてもよい。そして、ＣＱＩ＿ｓは、プリコーディングマトリックスがサブバンドでＷ１とＷ２＿ｓの関数であることを仮定して算出される。
・「ランク指示子ＲＩ、Ｗ１のプリコーディングマトリックス指示子、Ｗ２＿ｗのプリコーディングマトリックス指示子」、「ＣＱＩ＿ｗ」、「ＣＱＩ＿ｓ」は３つの他のサブフレームでレポーティングされる。
【００６９】
レポーティングタイプ
【００７０】
区別される周期とオフセットを有する４個のＣＱＩ／ＰＭＩとＲＩレポーティングタイプが各ＰＵＣＣＨレポーティングモードのために支援される。これは下記の表３に記載されている。
【００７１】
タイプ１のリポートはＵＥ選択されたサブバンドに対するＣＱＩフィードバックを支援する。
【００７２】
タイプ２はワイドバンドＣＱＩとＰＭＩフィードバックを支援する。
【００７３】
タイプ３はＲＩフィードバックを支援する。
【００７４】
タイプ４はワイドバンドＣＱＩを支援する。
【００７５】
タイプ５はＵＥ選択サブバンドに対するＣＱＩ、ＰＭＩを支援する。ここには２つのオプションがある。
【００７６】
・タイプ５．０：サブバンド（デファレンシャル、ｄｉｆｆｅｒｅｎｔｉａｌ）ＰＭＩとサブバンドＣＱＩ
・タイプ５．１：ワイドバンド（デファレンシャル、ｄｉｆｆｅｒｅｎｔｉａｌ）ＰＭＩとサブバンドＣＱＩ
タイプ５は、サブバンドディファレントＰＭＩまたはワイドバンドディファレントＰＭＩとサブバンドＣＱＩのレポーティングを可能にする。
【００７７】
【表３】
2013529430.tif 000005
【００７８】
また、２ビットサブバンドＰＭＩケースで前記表３は下記の表４、５、６のように具体化され得る。
【００７９】
【表４】
2013529430.tif 000006
【００８０】
【表５】
2013529430.tif 000007
【００８１】
【表６】
2013529430.tif 000008
【００８２】
上記の表３はＹビットサブバンドＰＭＴで下記の表７から表９のように具体化され得る。
【００８３】
【表７】
2013529430.tif 000009
【００８４】
【表８】
2013529430.tif 000010
【００８５】
【表９】
2013529430.tif 000011
【００８６】
【表１０】
2013529430.tif 000012
【００８７】
図２は、ランク指示子、プリコーディングマトリックス指示子及びチャネル品質情報を共有する送信機及び受信機の通信方法を示すフローチャートである。
【００８８】
図２を参照して、後述する実施形態を説明する前に、受信機は下りリンクで端末であってもよく、上りリンクでの基地局であってもよい。反対に、送信機は下りリンクで基地局、上りリンクで端末であってもよい。
【００８９】
受信機は送信機から受信機へのチャネルを推定する（２１０）。ここで、受信機は、送信機から送信された知らされた信号を用いてチャネルを推定してもよい。ここで、送信機は２、４、８、１６個などのように様々な送信アンテナを含んでもよく、受信機は少なくとも１つの受信アンテナを含んでもよい。
【００９０】
受信機は、選好されるレイヤ（ランク）の数を指示するランク指示子ＲＩを生成する（２２０）。そして、受信機はそのＲＩに基づいて予め格納されたコードブックを用いて選好されるプリコーディングマトリックスを指示するＰＭＩを生成する（２３０）。ただし、後述するが、本発明の実施形態は、予め格納された少なくとも２つのコードブックを用いて少なくとも２つのプリコーディングマトリックス指示子などを生成してもよく、このような場合、最終的なプリコーディングマトリックスは、少なくとも２つのプリコーディングマトリックス指示子などにより決定される。特に、最終的なプリコーディングマトリックスは、少なくとも２つのコードブックそれぞれから選択された少なくとも２つのプリコーディングマトリックス間の内積に定義され得る。
【００９１】
また、受信機は、ＲＩ及びＰＭＩに基づいてチャネル品質情報を生成する（２４０）。
【００９２】
受信機は、生成されたＲＩ、ＰＭＩ、ＣＱＩをＰＵＳＣＨまたはＰＵＣＣＨによってフィードバックする（２５０）。
【００９３】
また、送信機は、フィードバックされたＲＩ、ＰＭＩ、ＣＱＩに基づいて最適のプリコーディングマトリックスを生成し（２６０）、データストリームをプリコーディングする（２７０）。プリコーディングされたデータは、複数の送信アンテナを介して受信機に送信される（２８０）。
【００９４】
図３は、プリコーディングマトリックス指示子、第２プリコーディングマトリックス指示子及びチャネル品質情報を共有する送信機及び受信機の通信方法を示すフローチャートである。特に、図３は、ＰＵＳＣＨを用いるレポーティングモード１−２．１とＰＵＣＣＨを用いる後述する２つのレポーティングモードを具体的に説明する。
【００９５】
まず、図３を参照して、ＰＵＳＣＨを用いるレポーティングモード１−２．１に応じて動作する受信機及び送信機の通信方法を説明する。
【００９６】
１．ＰＵＳＣＨを用いるレポーティングモード１−２．１について
【００９７】
送信機及び受信機は、ＰＵＳＣＨによってレポーティングモード１−２．１により動作することを予め設定する（３１０）。
【００９８】
受信機は、第１コードブックＣ１から第１プリコーディングマトリックスＷ１を選択することによって、第１プリコーディングマトリックス指示子を生成する（３２０）。特に、複数のサブバンドが存在する場合、受信機は送信機がサブバンドの集合で送信を行うものと仮定して第１コードブックＣ１からサブバンドの集合に対するプリコーディングマトリックス指示子を生成する。
【００９９】
第１コードブックＣ１は後述する第２コードブックＣ２と区別され、第１コードブックＣ１及び第２コードブックＣ２は同一の全体（ＦＵＬＬ）コードブックのサブセットであってもよい。
【０１００】
また、受信機は、第２コードブックＣ２から第２プリコーディングマトリックスＷ２を選択することによって、第２プリコーディングマトリックス指示子を生成する（３３０）。ここで、受信機は各サブバンドに対して、選択されたサブバンドでのみの送信を仮定し、第２コードブックＣ２から第２プリコーディングマトリックスＷ２の第２プリコーディングマトリックス指示子を生成する。
【０１０１】
また、受信機は、各サブバンドで該当プリコーディングマトリックスＷの使用とサブバンドの集合における送信を仮定してコードワード当り１つのワイドバンドＣＱＩを算出する（３４０）。
【０１０２】
また、受信機は、ＰＵＳＣＨを介して第１プリコーディングマトリックス指示子、第２プリコーディングマトリックス指示子及びワイドバンドＣＱＩをフィードバックする（３５０）。
【０１０３】
ＰＭＩ、ＣＱＩは報告されたランク指示子に基づいて算出され、サブバンドのサイズは様々に決定される。ＲＩｔｈｒｅｓｈｏｌｄは様々な値を有してもよいが、例えば、２であってもよい。
【０１０４】
第１プリコーディングマトリックス指示子、第２プリコーディングマトリックス指示子及びワイドバンドＣＱＩが送信機にフィードバックされれば、送信機は、第１コードブック及び第２コードブックを用いて最適のプリコーディングマトリックスを生成する（３６０）。
【０１０５】
そして、送信機は、生成されたプリコーディングマトリックスを用いて少なくとも１つのデータストリームをプリコーディングし（３７０）、プリコーディングされたデータストリームを複数の送信アンテナを用いて送信する（３８０）。
【０１０６】
２．ＰＵＣＣＨを用いるＲｅｐｏｒｔｉｎｇ  ｍｏｄｅＲＩ｜｜Ｗ１｜｜Ｗ２＿ｗ、ＣＱＩ＿ｗについて
【０１０７】
受信機及び送信機は、フィードバック情報に対する前記レポーティングモードを認知する（３１０）。
【０１０８】
受信機の選好されるランクを示すランク指示子がすでに生成されたと仮定する。
【０１０９】
受信機は、第１コードブックＣ１から複数のサブバンドの集合または前記複数のサブバンドのうち特定サブバンドに対する第１プリコーディングマトリックス指示子を生成する（３２０）。この第１プリコーディングマトリックス指示子に対応する第１プリコーディングマトリックスをＷ１という。
【０１１０】
受信機は、第２コードブックＣ２から前記複数のサブバンドの集合に対する第２プリコーディングマトリックス指示子を生成する（３３０）。この第２プリコーディングマトリックス指示子に対応する第２プリコーディングマトリックスをＷ２＿Ｗという。Ｗ２＿Ｗは全体帯域から選択されたＷ２であり、第２コードブックまたは第２コードブックのサブセットから選択される。
【０１１１】
第２コードブックに対するサブセットが単に１つの要素のみを含めば、Ｗ１とＷ２＿Ｗ間で１対１にマッピングされる。そのようなケースで、Ｗ２＿Ｗのプリコーディングマトリックス指示子は明示的にシグナリングされない。
【０１１２】
受信機は、プリコーディングマトリックスがＷ１とＷ２＿ｗの関数であることを仮定してワイドバンドＣＱＩ＿ｗを算出する（３４０）。ここで、受信機は、前記第１プリコーディングマトリックス指示子及び前記第２プリコーディングマトリックス指示子を用いて、前記複数のサブバンドの集合に対するチャネル品質情報ＣＱＩ＿ｗを算出する。
【０１１３】
ここで、Ｗ２＿Ｗのプリコーディングマトリックス指示子とワイドバンドＣＱＩ＿ｗは共同に符号化される。
【０１１４】
受信機は、第１レポーティングの時点で前記ランク指示子を送信し、第２レポーティングの時点で前記第１プリコーディングマトリックス指示子を送信し、第３レポーティングの時点で前記複数のサブバンドの集合に対する第２プリコーディングマトリックス指示子及び前記複数のサブバンドの集合に対するチャネル品質情報ＣＱＩ＿ｗをフィードバックする（３５０）。
【０１１５】
ここで、前記第１レポーティングの時点、前記第２レポーティングの時点及び前記第３レポーティングの時点それぞれは互いに異なるサブフレームに対応する。
【０１１６】
特に、受信機は、第１レポーティング周期に前記ランク指示子を送信し、第２レポーティング周期に前記第１プリコーディングマトリックス指示子を送信し、第３レポーティング周期に前記複数のサブバンドの集合に対する第２プリコーディングマトリックス指示子及び前記複数のサブバンドの集合に対するチャネル品質情報をフィードバックしてもよい。
【０１１７】
そして、上述したことと同様にステップ３６０からステップ３８０が送信機によって行われる。
【０１１８】
３．ＰＵＣＣＨを用いるＲｅｐｏｒｔｉｎｇ  ｍｏｄｅＲＩ｜｜Ｗ１｜｜Ｗ２＿ｗ、ＣＱＩ＿ｗ｜｜Ｗ２＿ｓ、ＣＱＩ＿ｓについて
【０１１９】
受信機及び送信機は、フィードバック情報に対する前記レポーティングモードを認知する（３１０）。
【０１２０】
受信機の選好されるランクを示すランク指示子がすでに生成されたと仮定する。
【０１２１】
受信機は、第１コードブックＣ１から複数のサブバンドの集合または前記複数のサブバンドのうち特定サブバンドに対する第１プリコーディングマトリックス指示子を生成する（３２０）。この第１プリコーディングマトリックス指示子に対応する第１プリコーディングマトリックスをＷ１という。
【０１２２】
受信機は、第２コードブックＣ２から前記複数のサブバンドの集合に対する第２プリコーディングマトリックス指示子を生成する（３３０）。この第２プリコーディングマトリックス指示子に対応する第２プリコーディングマトリックスをＷ２＿Ｗという。Ｗ２＿Ｗは全体帯域から選択されたＷ２であり、第２コードブックまたは第２コードブックのサブセットから選択される。
【０１２３】
第２コードブックに対するサブセットが単に１つの要素のみを含めば、Ｗ１とＷ２＿Ｗ間で１対１にマッピングされる。そのようなケースで、Ｗ２＿Ｗのプリコーディングマトリックス指示子は明示的にシグナリングされない。
【０１２４】
また、受信機は、前記複数のサブバンドの集合に対する第２プリコーディングマトリックス指示子を生成するだけではなく、第２コードブックＣ２から特定サブバンドそれぞれに対する第２プリコーディングマトリックス指示子Ｗ２＿Ｓを生成する（３３０）。ここで、明確化のために特定サブバンドそれぞれに対する第２プリコーディングマトリックス指示子Ｗ２＿Ｓを第３プリコーディングマトリックス指示子と呼ぶことにする。結局、受信機は、ステップ３３０において第２コードブックＣ２からＷ２＿ＷとＷ２＿Ｓを生成する。
【０１２５】
また、受信機は、ワイドバンドＣＱＩ＿ｗとサブバンドＣＱＩ＿ｓを生成する（３４０）。
【０１２６】
ここで、ワイドバンドＣＱＩ＿ｗはプリコーディングマトリックスがＷ１とＷ２＿ｗの関数であることを仮定して算出される。そして、ＣＱＩ＿ｓはサブバンドＣＱＩのことをいい、例えば、帯域幅の部分から選択された１つのサブバンドで取得されてもよい。そして、ＣＱＩ＿ｓはプリコーディングマトリックスがサブバンドでＷ１とＷ２＿ｓの関数であることを仮定して算出される。
【０１２７】
また、受信機は「ＲＩ」、「Ｗ１の第１プリコーディングマトリックス指示子」、「Ｗ２＿ｗの第２プリコーディングマトリックス指示子、ＣＱＩ＿ｗ」、「Ｗ２＿ｓの第３プリコーディングマトリックス指示子、ＣＱＩ＿ｓ」は４個の他のサブフレームにフィードバックする（３５０）。
【０１２８】
４個の他のサブフレームは第１から第４レポーティングの時点に対応する。
【０１２９】
そして、上述したことと同様にステップ３６０〜ステップ３８０が送信機によって行われる。
【０１３０】
図４は、プリコーディングマトリックス指示子、第２プリコーディングマトリックス指示子、チャネル品質情報及び差情報を共有する送信機及び受信機の通信方法を示すフローチャートである。
【０１３１】
図４を参照して、ＰＵＳＣＨを用いるレポーティングモード３−１について説明する。
【０１３２】
受信機及び送信機は、フィードバック情報に対するレポーティングモードを認知する（４１０）。
【０１３３】
受信機は、第１コードブックＣ１から第１プリコーディングマトリックスＷ１を選択することによって、第１プリコーディングマトリックス指示子を生成する（４２０）。特に、サブバンドの集合における送信を仮定して第１コードブックＣ１から単一の第１プリコーディングマトリックスＷ１の第１プリコーディングマトリックス指示子が生成される。
【０１３４】
また、受信機は、第２コードブックＣ２から第２プリコーディングマトリックスＷ２を選択することによって第２プリコーディングマトリックス指示子を生成する（４３０）。サブバンドの集合における送信を仮定し、第２コードブックＣ２から単一の第２プリコーディングマトリックスＷ２の第１プリコーディングマトリックス指示子が生成される。
【０１３５】
また、受信機は、各サブバンドに対してコードワード当たり１つのサブバンドＣＱＩを生成してコードワード当り１つのワイドバンドＣＱＩを生成する（４４０）。ここで、サブバンドＣＱＩは、全てのサブバンドでＷ１とＷ２の関数であるＷの使用と該当サブバンドにおける送信を仮定して算出され、ワイドバンドＣＱＩは全てのサブバンドでＷ１とＷ２の関数であるＷの使用とサブバンドの集合における送信を仮定して算出されてもよい。
【０１３６】
受信機は、複数のサブバンドの集合に対するＣＱＩと各コードワードに対するサブバンドＣＱＩの間の差に関する差情報を生成する（４５０）。この差情報は１、２、３、．．．ビットなどを用いて符号化される。
【０１３７】
また、受信機は、第１プリコーディングマトリックス指示子、第２プリコーディングマトリックス指示子及びワイドバンドＣＱＩ、サブバンドＣＱＩをフィードバックする（４６０）。ここで、ワイドバンドＣＱＩ、サブバンドＣＱＩのうち少なくとも１つは差情報に代替されてもよく、ワイドバンドＣＱＩ、サブバンドＣＱＩ及び差情報の全てがフィードバックされてもよい。
【０１３８】
図５は、本発明の一実施形態に係る通信装置を示すブロック図である。
【０１３９】
図５に示された通信装置５００は、送信機及び受信機の両方に適用されてもよい。
【０１４０】
図５を参照すると、通信装置５００は、メモリ５１０、プロセッサ５２０、通信インタフェース５３０を備える。
【０１４１】
メモリ５１０には、電子コードブックのサブセットである第１コードブック及び第２コードブックが格納される。
【０１４２】
プロセッサ５２０は、前記第１コードブック及び前記第２コードブックそれぞれから該当プリコーディングマトリックス指示子を生成したり、前記該当プリコーディングマトリックス指示子それぞれに対応するプリコーディングマトリックスを抽出する。すなわち、通信装置５００が受信機に設けられれば、プロセッサ５２０は、前記第１コードブック及び前記第２コードブックそれぞれから該当プリコーディングマトリックス指示子を生成する一方、通信装置５００が送信機に設けられれば、プロセッサ５２０は、前記第１コードブック及び前記第２コードブックそれぞれから生成されたプリコーディングマトリックス指示子に対応するプリコーディングマトリックスを抽出する。また、プロセッサ５２０は、最終的に適用されるプリコーディングマトリックスを生成したり、チャネル品質情報を生成してもよい。上述した送信機及び受信機の大部分の動作はプロセッサ５２０によって行われる。
【０１４３】
通信インタフェース５３０は、送信機と受信機との間で前記第１コードブック及び前記第２コードブックそれぞれから生成された該当のプリコーディングマトリックス指示子を送信したり受信する。
【０１４４】
上述した方法は、 多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を格納して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【０１４５】
以上のように本発明を限定された実施形態と図面によって説明したが、本発明は、上記の実施形態に限定されることなく、本発明が属する分野における通常の知識を有する者であれば、このような実施形態から多様な修正及び変形が可能である。
【０１４６】
したがって、本発明の範囲は、開示された実施形態に限定して定められるものではなく、特許請求の範囲及び特許請求の範囲と均等なものなどによって定められるものである。
【符号の説明】
【０１４７】
１１０  基地局
１２０、１３０、１４０  端末
５００  通信装置
５１０  メモリ
５２０  プロセッサ
５３０  通信インタフェース
【図１】
2013529430.tif 000013
【図２】
2013529430.tif 000014
【図３】
2013529430.tif 000015
【図４】
2013529430.tif 000016
【図５】
2013529430.tif 000017
【国際調査報告】
2013529430.tif 000018
2013529430.tif 000019
2013529430.tif 000020